(57)【要約】【課題】  照明器具にＨＩＤタイプのＬＥＤランプをセットしたときに、ＨＩＤタイプのＬＥＤランプからの熱を効率良く放熱することの可能な照明装置を提供する。【解決手段】  所定の熱伝導率を持つ照明器具カバー１２と口金ソケット１３とを有する照明器具１１と、所定の熱伝導率を持つ筐体２と口金３とを有し、照明器具１１の口金ソケット１３に口金３が装着されるＬＥＤランプ１とを備えた照明装置であって、ＬＥＤランプ１と照明器具カバー１２との間には、所定の熱伝導率を持つ支持部材２１が設けられ、該支持部材２１は、環状形状のものであって、環状形状の内側部分でＬＥＤランプ１の筐体２と当接し、環状形状の外側部分で照明器具カバー１２と当接している。【選択図】      図１０
2012014900.tif 000002
【特許請求の範囲】
【請求項１】
所定の熱伝導率を持つ照明器具カバーと口金ソケットとを有する照明器具と、所定の熱伝導率を持つ筐体と口金とを有し、前記照明器具の口金ソケットに口金が装着されるＬＥＤランプとを備えた照明装置であって、前記ＬＥＤランプと前記照明器具カバーとの間には、所定の熱伝導率を持つ支持部材が設けられ、該支持部材は、環状形状のものであって、環状形状の内側部分で前記ＬＥＤランプの前記筐体と当接し、環状形状の外側部分で前記照明器具カバーと当接していることを特徴とする照明装置。
【請求項２】
請求項１記載の照明装置において、前記支持部材は、照明器具カバーと当接する環状形状の外側部分に弾性構造を有していることを特徴とする照明装置。
【発明の詳細な説明】
【技術分野】
【０００１】
本発明は、照明装置に関する。
【背景技術】
【０００２】
図１は既存のＨＩＤ（Ｈｉｇｈ  Ｉｎｔｅｎｓｉｔｙ  Ｄｉｓｃｈａｒｇｅ  ：高輝度放電）ランプと同じ外観形状に設計されているＨＩＤタイプのＬＥＤランプの一例を示す斜視図、図２は図１のＡ方向から見た平面図、図３は図１のＢ−Ｂ線における一部切欠断面図である。図１、図２、図３を参照すると、このＨＩＤタイプのＬＥＤランプ１は、所定の熱伝導率を持つ筐体２と、電源と接続するための口金３と、複数個（この例では、５個）のＬＥＤ５（図３では、その内の１個のＬＥＤ５が図示されている）と、複数個のＬＥＤ５からの光がそれぞれ出射される出射窓６とを有している。ここで、１個のＬＥＤ５は例えば４Ｗ（ワット）のものであり、従って、５個のＬＥＤ５が用いられる場合には、２０Ｗ（ワット）のものとなる。このため、このＨＩＤタイプのＬＥＤランプ１の筐体２には、既存のＨＩＤランプと同等の性能を発揮するためにヒートシンク放熱構造（具体的にはフィン構造７）が設けられている。また、筐体２は、熱伝導率の高い材料（例えば、アルミニウムやマグネシュームなどの金属、あるいは、樹脂中に例えばカーボンなどを含有する熱伝導樹脂など）で形成されている。
【０００３】
このようなＨＩＤタイプのＬＥＤランプ１は、図４に断面図で示すように、所定の熱伝導率を持つ（熱伝導率の高い）照明器具カバー１２と口金ソケット１３とを有する照明器具１１の口金ソケット１３に口金３が装着されて用いられるようになっている。なお、図４において、ＨＩＤタイプのＬＥＤランプ１は、図３と同様に、一部が切欠かれて図示されている。
【０００４】
ここで、照明器具１１としては、既存のＨＩＤランプ用の照明器具を用いることができる。すなわち、ＨＩＤタイプのＬＥＤランプ１は、既存のＨＩＤランプと同じ外観形状に設計されているため、既存のＨＩＤランプ用の照明器具１１の口金ソケット１３に口金３を挿入して、既存のＨＩＤランプと置き換えて使用することができる（すなわち、既存のＨＩＤランプと互換性がある）。
【発明の概要】
【発明が解決しようとする課題】
【０００５】
ところで、従来では、照明器具１１にＨＩＤタイプのＬＥＤランプ１をセットし、ＨＩＤタイプのＬＥＤランプ１に通電してＨＩＤタイプのＬＥＤランプ１を点灯するとき、照明器具１１は一般に通気孔がなく、照明器具１１とＨＩＤタイプのＬＥＤランプ１との間の空気は外気との入れ替えができにくいため、ＨＩＤタイプのＬＥＤランプ１から放出された放射熱が照明器具１１内（照明器具１１とＨＩＤタイプのＬＥＤランプ１との間）にこもってしまうという問題があった。
【０００６】
図５には、照明器具１１にＨＩＤタイプのＬＥＤランプ１がセットされる前の状態（器具使用なしの状態）においてＨＩＤタイプのＬＥＤランプ１を点灯したときのＨＩＤタイプのＬＥＤランプ１の各部分の温度測定結果と、照明器具１１にＨＩＤタイプのＬＥＤランプ１をセットした後の状態（器具使用ありの状態）においてＨＩＤタイプのＬＥＤランプ１を点灯したときのＨＩＤタイプのＬＥＤランプ１の各部分の温度測定結果とが示されている。なお、図５において、測定ポイント１はＨＩＤタイプのＬＥＤランプ１のＬＥＤ５のジャンクション（ｐ−ｎジャンクション）、測定ポイント２はＨＩＤタイプのＬＥＤランプ１の筐体２、測定ポイント３は照明器具１１にＨＩＤタイプのＬＥＤランプ１をセットした後の状態において照明器具１１とＨＩＤタイプのＬＥＤランプ１との間の空間（空気層）、測定ポイント４は外気である。
【０００７】
図５から、照明器具１１にＨＩＤタイプのＬＥＤランプ１をセットした後の状態（器具使用ありの状態）にすると、照明器具１１にＨＩＤタイプのＬＥＤランプ１がセットされる前の状態（器具使用なしの状態）に比べて、例えば測定ポイント１の温度（すなわち、ＨＩＤタイプのＬＥＤランプ１のＬＥＤ５のジャンクション（ｐ−ｎジャンクション）の温度）が１５℃上昇してしまうことがわかった。この原因は、照明器具１１にＨＩＤタイプのＬＥＤランプ１をセットした後の状態（器具使用ありの状態）では、図６に示すように、ＨＩＤタイプのＬＥＤランプ１のＬＥＤ５からの熱は、ＨＩＤタイプのＬＥＤランプ１の筐体２（Ｒ１）、空気層３１（Ｒ２）、照明器具カバー１２（Ｒ３）、空気層（外気）３２（Ｒ４）の順序で、熱伝導の悪い空気層３１（Ｒ２）を経由して照明器具カバー１２に熱伝導するので、効率良く放熱を行うことができないためと考えられる。なお、Ｒ１、Ｒ２、Ｒ３、Ｒ４は熱の経路である。
【０００８】
このように、従来では、照明器具１１にＨＩＤタイプのＬＥＤランプ１をセットしたときに、ＨＩＤタイプのＬＥＤランプ１のＬＥＤ５からの熱を効率良く放熱を行うことができず、これにより、ＨＩＤタイプのＬＥＤランプ１の寿命が短くなったり、ＨＩＤタイプのＬＥＤランプ１のＬＥＤ５のジャンクション（ｐ−ｎジャンクション）の温度の上昇によってＬＥＤ５の発光効率が低下するなどの問題があった。
【０００９】
また、上述したようなＨＩＤタイプのＬＥＤランプ１は、筐体２にヒートシンク放熱構造（具体的にはフィン構造７）が採用されているので、既存のＨＩＤランプよりも重さが５割程、重くなってしまう。具体的には、既存のＨＩＤランプの重さが２２０ｇであるのに対し、ＨＩＤタイプのＬＥＤランプ１は重さが３４０ｇとなってしまう。このため、照明器具１１にＨＩＤタイプのＬＥＤランプ１をセットし、重力の作用する方向Ｇに対して、例えば図７のように傾けて使用する場合に、既存のＨＩＤランプに比べてＨＩＤタイプのＬＥＤランプ１は重いために、図７に示すようにＨＩＤタイプのＬＥＤランプ１が照明器具１１の中心から重力の作用する方向Ｇにずれた装着状態となりやすく、目的の方向に対して正しい照射ができなくなるなどの問題もあった。
【００１０】
本発明は、照明器具にＨＩＤタイプのＬＥＤランプをセットしたときに、ＨＩＤタイプのＬＥＤランプからの熱を効率良く放熱することの可能な照明装置を提供することを目的としている。
【００１１】
また、本発明は、さらに、照明器具にＨＩＤタイプのＬＥＤランプをセットしたときに、ＨＩＤタイプのＬＥＤランプが照明器具の中心から重力の作用する方向にずれるのを有効に防止することをも可能な照明装置を提供することを目的としている。
【課題を解決するための手段】
【００１２】
上記目的を達成するために、請求項１記載の発明は、所定の熱伝導率を持つ照明器具カバーと口金ソケットとを有する照明器具と、所定の熱伝導率を持つ筐体と口金とを有し、前記照明器具の口金ソケットに口金が装着されるＬＥＤランプとを備えた照明装置であって、前記ＬＥＤランプと前記照明器具カバーとの間には、所定の熱伝導率を持つ支持部材が設けられ、該支持部材は、環状形状のものであって、環状形状の内側部分で前記ＬＥＤランプの前記筐体と当接し、環状形状の外側部分で前記照明器具カバーと当接していることを特徴としている。
【００１３】
また、請求項２記載の発明は、請求項１記載の照明装置において、前記支持部材は、照明器具カバーと当接する環状形状の外側部分に弾性構造を有していることを特徴としている。
【発明の効果】
【００１４】
請求項１記載の発明によれば、所定の熱伝導率を持つ照明器具カバーと口金ソケットとを有する照明器具と、所定の熱伝導率を持つ筐体と口金とを有し、前記照明器具の口金ソケットに口金が装着されるＬＥＤランプとを備えた照明装置であって、前記ＬＥＤランプと前記照明器具カバーとの間には、所定の熱伝導率を持つ支持部材が設けられ、該支持部材は、環状形状のものであって、環状形状の内側部分で前記ＬＥＤランプの前記筐体と当接し、環状形状の外側部分で前記照明器具カバーと当接しているので、照明器具にＬＥＤランプをセットしたときに、ＬＥＤランプからの熱を効率良く放熱することができる。
【００１５】
また、請求項２記載の発明によれば、請求項１記載の照明装置において、前記支持部材は、照明器具カバーと当接する環状形状の外側部分に弾性構造を有しているので、照明器具にＬＥＤランプをセットしたときに、ＬＥＤランプからの熱を効率良く放熱することができるとともに、ＬＥＤランプが照明器具の中心から重力の作用する方向にずれるのを有効に防止することができる。
【図面の簡単な説明】
【００１６】
【図１】既存のＨＩＤランプと同じ外観形状に設計されているＨＩＤタイプのＬＥＤランプの一例を示す斜視図である。
【図２】図１のＡ方向から見た平面図である。
【図３】図２のＢ−Ｂ線における一部切欠断面図である。
【図４】所定の熱伝導率を持つ照明器具カバーと口金ソケットとを有する照明器具の口金ソケットにＨＩＤタイプのＬＥＤランプの口金が装着された状態を示す図である。
【図５】照明器具にＨＩＤタイプのＬＥＤランプがセットされる前の状態（器具使用なしの状態）においてＨＩＤタイプのＬＥＤランプを点灯したときのＨＩＤタイプのＬＥＤランプの各部分の温度測定結果と、照明器具にＨＩＤタイプのＬＥＤランプをセットした後の状態（器具使用ありの状態）においてＨＩＤタイプのＬＥＤランプを点灯したときのＨＩＤタイプのＬＥＤランプの各部分の温度測定結果とを示す図である。
【図６】図４の構成において、ＨＩＤタイプのＬＥＤランプのＬＥＤからの熱の熱伝導を示す図である。
【図７】照明器具にＨＩＤタイプのＬＥＤランプをセットし、重力の作用する方向に対して、傾けて使用する場合を示す図である。
【図８】本発明の照明装置に用いられる支持部材（放熱ステー）の構成例を示す図である。
【図９】ＨＩＤタイプのＬＥＤランプの筐体（フィン構造を有する筐体）に支持部材（放熱ステー）の円環状の本体部が嵌められた（当接した）状態を示す図である。
【図１０】ＨＩＤタイプのＬＥＤランプが照明器具にセットされた状態を示す図である。
【図１１】ＨＩＤタイプのＬＥＤランプに熱伝導率の高い支持部材（放熱ステー）を装着せずに照明器具にセットした状態においてＨＩＤタイプのＬＥＤランプを点灯したときのＨＩＤタイプのＬＥＤランプの各部分の温度測定結果と、ＨＩＤタイプのＬＥＤランプに熱伝導率の高い支持部材（放熱ステー）を装着して照明器具にセットした状態においてＨＩＤタイプのＬＥＤランプを点灯したときのＨＩＤタイプのＬＥＤランプの各部分の温度測定結果とを示す図である。
【図１２】ＨＩＤタイプのＬＥＤランプに熱伝導率の高い支持部材（放熱ステー）を装着した状態にしたときの、ＨＩＤタイプのＬＥＤランプのＬＥＤからの熱の熱伝導を示す図である。
【図１３】支持部材（放熱ステー）の他の例を示す図である。
【発明を実施するための最良の形態】
【００１７】
以下、本発明の実施形態を図面に基づいて説明する。
【００１８】
本発明の照明装置においても、基本的には、図１、図２、図３に示したと同様のＨＩＤタイプのＬＥＤランプ１と、図４に示したような、所定の熱伝導率を持つ照明器具カバー１２と口金ソケット１３とを有する照明器具１１とが用いられ、ＨＩＤタイプのＬＥＤランプ１は、照明器具１１の口金ソケット１３に口金３が装着されて使用されるようになっている。なお、以下では、ＨＩＤタイプのＬＥＤランプ１、および、照明器具１１の構成および材料などは、前述の背景技術において説明したものと同じであるとする。
【００１９】
すなわち、このＨＩＤタイプのＬＥＤランプ１も、図１、図２、図３に示したと同様に、所定の熱伝導率を持つ筐体２と、電源と接続するための口金３と、複数個（いま例では、５個）のＬＥＤ５と、複数個のＬＥＤ５からの光がそれぞれ出射される出射窓６とを有している。ここで、１個のＬＥＤ５は例えば４Ｗ（ワット）のものであり、従って、５個のＬＥＤ５が用いられる場合には、２０Ｗ（ワット）のものとなる。このため、このＨＩＤタイプのＬＥＤランプ１の筐体２には、既存のＨＩＤランプと同等の性能を発揮するためにヒートシンク放熱構造（具体的にはフィン構造７）が設けられている。また、筐体２は、熱伝導率の高い材料（例えば、アルミニウムやマグネシュームなどの金属、あるいは、樹脂中に例えばカーボンなどを含有する熱伝導樹脂など）で形成されている。
【００２０】
また、照明器具カバー１２は、熱伝導率の高い金属（例えばアルミニウム等）などで形成されている。
【００２１】
ところで、本発明では、ＨＩＤタイプのＬＥＤランプ１の筐体２と照明器具１１の照明器具カバー１２との間に、所定の熱伝導率を持つ環状の支持部材（放熱ステー）が設けられるようになっている。図８（ａ），（ｂ）は本発明の照明装置に用いられる支持部材（放熱ステー）の構成例を示す図である。なお、図８（ａ）は斜視図、図８（ｂ）は図８（ａ）の矢印Ｃの方向から見た平面図である。
【００２２】
図８（ａ），（ｂ）を参照すると、この支持部材（放熱ステー）２１は、所定の熱伝導率を持つ材料（例えば、金属製の導電性材料や、樹脂中に例えばカーボンなどを含有する熱伝導樹脂などの、熱伝導率の高い材料）で形成されている。
【００２３】
そして、図８（ａ），（ｂ）の例では、支持部材（放熱ステー）２１は、円環状の本体部２２と、円環状の本体部２２の円環に沿って、外側にＵ字形状に曲げられた複数のＵ字形状部２３とを有している。なお、円環状の本体部２２は、ＨＩＤタイプのＬＥＤランプ１の筐体２自体に接する部分２５と、筐体２のフィン構造７に嵌る（接する）部分２６とを有している。
【００２４】
このような構成により、支持部材（放熱ステー）２１の内側部分は、ＨＩＤタイプのＬＥＤランプ１の筐体２（フィン構造７を有する筐体２）に嵌る（当接する）ようになっている。すなわち、図８（ａ），（ｂ）の例では、支持部材（放熱ステー）２１の円環状の本体部２２の内側部分が、ＨＩＤタイプのＬＥＤランプ１の筐体２（フィン構造７を有する筐体２）に嵌る（当接する）ようになっている。図９（ａ），（ｂ）には、ＨＩＤタイプのＬＥＤランプ１の筐体２（フィン構造７を有する筐体２）に支持部材（放熱ステー）２１が嵌められた（当接した）状態が示されている。なお、図９（ａ）は斜視図、図９（ｂ）は図９（ａ）の矢印Ｃの方向から見た平面図である。ここで、支持部材（放熱ステー）２１の円環状の本体部２２の内側部分は、ＨＩＤタイプのＬＥＤランプ１の筐体２（フィン構造７を有する筐体２）にできる限り広い接触面積で接するのが良く、図８（ａ），（ｂ）、図９（ａ），（ｂ）の例では、支持部材（放熱ステー）２１の円環状の本体部２２の内側部分は、ＨＩＤタイプのＬＥＤランプ１の筐体２のフィン構造７の側面と、隣接するフィン構造７間の筐体２表面とにも接するようになっている。
【００２５】
また、ＨＩＤタイプのＬＥＤランプ１が照明器具１１にセットされたとき（すなわち、ＨＩＤタイプのＬＥＤランプ１の口金３が照明器具１１の口金ソケット１３に装着されたとき）、支持部材（放熱ステー）２１の外側部分は、照明器具１１の照明器具カバー１２に当接するようになっている。すなわち、図８（ａ），（ｂ）、図９（ａ），（ｂ）の例では、支持部材（放熱ステー）２１の複数のＵ字形状部２３が、照明器具１１の照明器具カバー１２に当接するようになっている。図１０（ａ），（ｂ）には、ＨＩＤタイプのＬＥＤランプ１が照明器具１１にセットされたときの状態が示されている。なお、図１０（ａ）は斜視図、図１０（ｂ）は図１０（ａ）のＢ−Ｂ線における一部切欠断面図である。ここで、支持部材（放熱ステー）２１の外側部分は、照明器具１１の照明器具カバー１２にできる限り広い接触面積で接するのが良い。具体的に、図８（ａ），（ｂ）、図９（ａ），（ｂ）、図１０（ａ），（ｂ）の例では、支持部材（放熱ステー）２１の複数のＵ字形状部２３は、できる限り多く分割されているのが良く、また、支持部材（放熱ステー）２１の複数のＵ字形状部２３の全てが、照明器具１１の照明器具カバー１２に当接するようになっているのが良い。
【００２６】
図１０（ｂ）からわかるように（後述の図１２に詳細に示すように）、ＨＩＤタイプのＬＥＤランプ１のＬＥＤ５からの熱は、ＨＩＤタイプのＬＥＤランプ１の筐体２（Ｔ１）、熱伝導率の高い支持部材（放熱ステー）２１（Ｔ２）、照明器具カバー１２（Ｔ３）、空気層（外気）３２（Ｔ４）の順序で、熱伝導率の高い支持部材（放熱ステー）２１（Ｔ２）を経由して照明器具カバー１２に熱伝導するので、非常に効率良く放熱を行うことが可能となる。なお、Ｔ１、Ｔ２、Ｔ３、Ｔ４は熱の経路である。
【００２７】
図１１には、ＨＩＤタイプのＬＥＤランプ１に熱伝導率の高い支持部材（放熱ステー）２１を装着せずに照明器具１１にセットした状態においてＨＩＤタイプのＬＥＤランプ１を点灯したときのＨＩＤタイプのＬＥＤランプ１の各部分の温度測定結果と、ＨＩＤタイプのＬＥＤランプ１に熱伝導率の高い支持部材（放熱ステー）２１を装着して照明器具１１にセットした状態においてＨＩＤタイプのＬＥＤランプ１を点灯したときのＨＩＤタイプのＬＥＤランプ１の各部分の温度測定結果とが示されている。なお、図１１において、測定ポイント１はＨＩＤタイプのＬＥＤランプ１のＬＥＤ５のジャンクション（ｐ−ｎジャンクション）、測定ポイント２はＨＩＤタイプのＬＥＤランプ１の筐体２、測定ポイント３は照明器具１１にＨＩＤタイプのＬＥＤランプ１をセットした後の状態において照明器具１１とＨＩＤタイプのＬＥＤランプ１との間の空間（空気層）、測定ポイント４は外気である。
【００２８】
図１１から、ＨＩＤタイプのＬＥＤランプ１に熱伝導率の高い支持部材（放熱ステー）２１を装着した状態にすると、ＨＩＤタイプのＬＥＤランプ１に熱伝導率の高い支持部材（放熱ステー）２１を装着しない場合に比べて、例えば測定ポイント１の温度（すなわち、ＨＩＤタイプのＬＥＤランプ１のＬＥＤ５のジャンクション（ｐ−ｎジャンクション）の温度）を１５℃と大幅に低下させることができることがわかった。これは、ＨＩＤタイプのＬＥＤランプ１に熱伝導率の高い支持部材（放熱ステー）２１を装着した状態にすると、図１２に示すように、ＨＩＤタイプのＬＥＤランプ１のＬＥＤ５からの熱は、ＨＩＤタイプのＬＥＤランプ１の筐体２、熱伝導率の高い支持部材（放熱ステー）２１、照明器具カバー１２、空気層（外気）３２の順序で、熱伝導率の高い支持部材（放熱ステー）２１を経由して照明器具カバー１２に直接的に熱伝導するので、効率良く放熱を行うことができるためである。
【００２９】
このように、本発明によれば、ＨＩＤタイプのＬＥＤランプ１と照明器具カバー１２との間には、所定の熱伝導率を持つ支持部材２１が設けられ、該支持部材２１は、環状形状のものであって、環状形状の内側部分でＨＩＤタイプのＬＥＤランプ１の筐体２と当接し、環状形状の外側部分で照明器具カバー１２と当接しているので、照明器具１１にＨＩＤタイプのＬＥＤランプ１をセットしたときに、ＨＩＤタイプのＬＥＤランプ１からの熱を効率良く放熱することができる。これによって、ＨＩＤタイプのＬＥＤランプ１の寿命を長くすることができ、また、ＬＥＤ５の発光効率の低下を防止することができる。
【００３０】
また、図９（ａ），（ｂ）、図１０において、照明器具１１は、照明器具カバー１２の開口径（もしくは開口幅）が口金ソケット１３の方向に向かって狭くなっている。ここで、支持部材（放熱ステー）２１の複数のＵ字形状部２３が口金ソケット１３の方向に向くように支持部材（放熱ステー）２１の円環状の本体部２２がＨＩＤタイプのＬＥＤランプ１に装着され、このとき、複数のＵ字形状部２２は、照明器具カバー１２に当接し、照明器具カバー１２を外側方向（図１０の矢印Ｈの方向）に押圧する弾性部材（バネ部材）として働く。このように、弾性部材（バネ部材）としての複数のＵ字形状部２２が設けられていることにより、ＨＩＤタイプのＬＥＤランプ１を中心方向に向けさせる（セルフアライメント）効果が働き、図７のように傾けて使用する場合にも、ＨＩＤタイプのＬＥＤランプ１が照明器具１１の中心から重力の作用する方向Ｇにずれるのを有効に防止することができる。
【００３１】
なお、上述の例では、支持部材（放熱ステー）２１は、円環状の本体部２２と、円環状の本体部２２の円環に沿って、外側にＵ字形状に曲げられた複数のＵ字形状部２３とを有しているとしたが（また、照明器具カバー１２も円環状のものとして図示されているが）、支持部材（放熱ステー）２１および照明器具カバー１２は、円環状のものに限らず、四角、五角、六角などの角環状のものであってもよい。すなわち、支持部材（放熱ステー）２１および照明器具カバー１２は、環状形状のものであればよい。ここで、本発明において、環状形状とは、完全に環状につながった形状のみならず、例えば図１３（ａ），（ｂ）に示すように、環状の一部が途切れたもの（図１３（ａ），（ｂ）には、途切れた箇所が符号４０で図示されている）をも含むものとする。なお、図１３（ａ）は斜視図、図１３（ｂ）は図１３（ａ）の矢印Ｃの方向から見た平面図である。
【００３２】
換言すれば、本発明は、ＨＩＤタイプのＬＥＤランプ１の筐体２と照明器具１１の照明器具カバー１２との間に、所定の熱伝導率を持つ（熱伝導率の高い）支持部材２１が設けられ、該支持部材２１は、環状形状のものであって、環状形状の内側部分でＨＩＤタイプのＬＥＤランプ１の筐体２と当接し、環状形状の外側部分で照明器具１１の照明器具カバー１２と当接している構成であればよく、これによって、照明器具１１にＨＩＤタイプのＬＥＤランプ１をセットしたときに、ＨＩＤタイプのＬＥＤランプ１からの熱を効率良く放熱することができるという効果が得られる。
【００３３】
また、上述の例では、弾性部材（バネ部材）を複数のＵ字形状部２２として構成したが、支持部材２１は、照明器具カバー１２と当接する環状形状の外側部分に弾性構造を有していればよく、弾性構造としては、複数のＵ字形状部２２に限らず、照明器具カバー１２を外側方向（図１０の矢印Ｈの方向）に押圧するものであれば、任意の弾性構造体を使用することができる。
【００３４】
換言すれば、本発明は、支持部材２１が、照明器具カバー１２と当接する環状形状の外側部分に弾性構造を有していることにより、照明器具１１にＨＩＤタイプのＬＥＤランプ１をセットしたときに、ＨＩＤタイプのＬＥＤランプ１からの熱を効率良く放熱することができるとともに、ＨＩＤタイプのＬＥＤランプ１が照明器具１１の中心から重力の作用する方向にずれるのを有効に防止することができる。
【００３５】
また、上述した本発明の照明装置は、例えばスポットライトやダウンライトなどに使用できる。
【産業上の利用可能性】
【００３６】
本発明は、スポットライトやダウンライトなどの照明一般に利用可能である。
【符号の説明】
【００３７】
１          ＨＩＤタイプのＬＥＤランプ
２          筐体
３          口金
５          ＬＥＤ
６          出射窓
７          フィン構造
１１        照明器具
１２        照明器具カバー
１３        口金ソケット
２１        支持部材（放熱ステー）
２２        円環状の本体部
２３        複数のＵ字形状部
【図１】
2012014900.tif 000003
【図２】
2012014900.tif 000004
【図３】
2012014900.tif 000005
【図４】
2012014900.tif 000006
【図５】
2012014900.tif 000007
【図６】
2012014900.tif 000008
【図７】
2012014900.tif 000009
【図８】
2012014900.tif 000010
【図９】
2012014900.tif 000011
【図１０】
2012014900.tif 000012
【図１１】
2012014900.tif 000013
【図１２】
2012014900.tif 000014
【図１３】
2012014900.tif 000015